(57)【要約】      （修正有）【課題】溶剤を必要とすることなく、効率的にクリーニング可能な印刷ヘッドワイピングシステムを提供する。【解決手段】ワイパアセンブリ１００は、フック状端部１２４を有するワイパ１０４と、取付部材１０８と、補強部材１１２とを含み、ワイパは、取付部材を受ける凹部を形成する２つのフランジ１１６を有することにより、ネジ部材又は他の締結具を使用することなく取付バーに取り付けられることができる。ワイパアセンブリが回動することによるフック状端部の回動半径はフック状端部の内部曲率半径の約１０倍であり、安定性を維持することができる。【選択図】図１
2018020559.tif 000002
【特許請求の範囲】
【請求項１】
フック状端部で終端するワイパ本体と、
所定距離だけ互いに分離された前記ワイパ本体から延在する１対のフランジであって、各フランジが前記フランジ間においてＣ字状開口を形成するように湾曲端部を有する１対のフランジとを備える、ワイパ。
【請求項２】
さらに、
前記フック状端部とは反対側の端部において前記ワイパ本体上に配置され且つ前記フランジの一方に隣接する尖端部を備える、請求項１に記載のワイパ。
【請求項３】
フック状端部で終端する本体と、所定距離だけ互いに分離された前記ワイパ本体から延在する１対のフランジであって、各フランジが前記フランジ間においてＣ字状開口を形成するように湾曲端部を有する１対のフランジと、前記フック状端部とは反対側の端部において前記ワイパ本体上に配置され且つ前記フランジの一方に隣接する尖端部とを有するワイパと、
前記フランジ間において前記Ｃ字状開口内に配置された取付部材であって、その長手方向軸に沿った前記ワイパ本体の長さよりも長い長手方向軸に沿った長さを有する取付部材と、
印刷ヘッドのフェースプレートと係合及び係合解除するように前記ワイパ本体の前記フック状端部を移動させるように前記取付部材に動作可能に接続された機構と、
前記フェースプレートの少なくとも一部を拭き取るように前記印刷ヘッドの前記フェースプレートに沿って前記ワイパ本体の前記フック状端部を移動させるための並進機構とを備える、印刷ヘッドワイピングアセンブリ。
【請求項４】
さらに、
前記フランジの前記湾曲端部間において前記取付部材から延在する補強部材とを備える、請求項３に記載の印刷ヘッドワイピングアセンブリ。
【請求項５】
前記補強部材が、少なくとも１つのネジ部材によって前記取付部材に取り付けられ、前記少なくとも１つのネジ部材の頭部が前記ワイパの本体に隣接している、請求項４に記載の印刷ヘッドワイピングアセンブリ。
【請求項６】
前記印刷ヘッドの前記フェースプレートと係合及び係合解除するように前記ワイパ本体の前記フック状端部を移動させる機構が第１の回転機構である、請求項３に記載の印刷ヘッドワイピングアセンブリ。
【請求項７】
前記第１の回転機構が、さらに、
前記取付部材に動作可能に接続されたブラケットであって、回動部材の周囲に配置されたブラケットと、
前記ブラケットに動作可能に接続された少なくとも１つのアクチュエータであって、前記ブラケットを前記回動部材まわりに回転させ、前記取付部材及び前記ワイパを回転させて前記印刷ヘッドの前記フェースプレートを前記ワイパと係合及び係合解除するように構成された少なくとも１つのアクチュエータとを備える、請求項６に記載の印刷ヘッドワイピングアセンブリ。
【請求項８】
さらに、
前記第１の回転機構において前記少なくとも１つのアクチュエータを動作させて第１の位置と第２の位置との間において前記ワイパを回転させ、前記ワイパが前記第２の位置にあるときに前記並進機構において前記少なくとも１つのアクチュエータを動作させて前記ワイパを前記印刷ヘッドの前記フェースプレートを横切って移動させるように構成されたコントローラとを備える、請求項７に記載の印刷ヘッドワイピングアセンブリ。
【請求項９】
フック状端部で終端する本体と、所定距離だけ互いに分離された前記他のワイパ本体から延在する１対のフランジであって、他のワイパの各フランジが前記フランジ間においてＣ字状開口を形成するように湾曲端部を有する１対のフランジと、前記フック状端部とは反対側の端部において前記ワイパ本体上に配置され且つ前記フランジの一方に隣接する尖端部とを有する他のワイパと、
前記フランジ間において前記他のワイパの前記Ｃ字状開口内に配置された他の取付部材であって、その長手方向軸に沿った前記ワイパ本体の長さよりも長い長手方向軸に沿った長さを有する他の取付部材と、
前記他の取付部材に動作可能に接続された第２の回転機構であって、前記印刷ヘッドの前記フェースプレートと係合及び係合解除するように前記他のワイパ本体の前記フック状端部を移動させるように前記第１の位置と前記第２の位置との間において前記他のワイパを回転させるように構成された少なくとも１つの他のアクチュエータを有する第２の回転機構とをさらに備え、
前記コントローラが、さらに、
前記第１の回転機構において前記少なくとも１つのアクチュエータを動作させて前記ワイパを前記第１の位置まで回転させ、
前記第２の回転機構において前記少なくとも１つのアクチュエータを動作させて前記他のワイパを前記第２の位置まで回転させ、
前記並進機構において前記少なくとも１つのアクチュエータを動作させ、前記他のワイパが前記第２の位置にあるときに前記印刷ヘッドの前記フェースプレートを横切って前記他のワイパの移動を反転させるように構成されている、請求項８に記載の印刷ヘッドワイピングアセンブリ。
【請求項１０】
前記ワイパが前記第２の位置にあるときの前記ワイパの前記フック状端部が前記フェースプレートに近接しているが、前記フック状端部が前記フェースプレートに係合していない、請求項８に記載の印刷ヘッドワイピングアセンブリ。
【発明の詳細な説明】
【技術分野】
【０００１】
本開示は、一般に、インクジェットプリンタに関し、より具体的には、インクジェットプリンタにおける印刷ヘッドをクリーニングするためのメンテナンスシステムに関する。
【背景技術】
【０００２】
インクジェットプリンタは、一般にインクと称される液体材料の液滴又は以前に吐出された材料の液滴を基材上に吐出する１つ以上の印刷ヘッドを有する。各印刷ヘッドは、典型的にはアレイ状に配置された複数のインクジェットを含む。各インクジェットは、１つ以上の材料の液滴が、インクジェットノズルがフェースプレート内で連通する開口を介してインクジェットから吐出されるのを可能とするように印刷ヘッドのフェースプレートの開口と連通するノズルを有する。インクジェットは、当業者に知られている様々な異なる構成で実装されることができる。いくつかの周知の構成は、インクジェットにおける圧電及び熱イジェクタを使用する。
【０００３】
インクジェットから吐出されたインクの一部は、フェースプレートに付着し、塵埃及びその他の屑を収集することがある。インク及び屑がフェースプレートから除去されない場合、残留インク及び屑は、フェースプレートにおける１つ以上の開口を閉塞してしまうことがある。印刷ヘッドクリーニングは、通常、プリンタシャーシ内に取り付けられたメンテナンスステーション内で実行され、そのため、印刷ヘッド及びメンテナンスステーションは、クリーニングするために互いに対して移動されることができる。いくつかのメンテナンスステーションにおいて、アプリケータは、残留インクを液化させるように印刷ヘッドのフェースプレートを不揮発性溶剤によって拭き取る。そして、１対のワイパがフェースプレートを横切って移動する。第１のワイパは、フェースプレート上に溶剤を広げ、フェースプレートからの屑を緩めるのに役立つ。第２のワイパは、残留インク及び屑をフェースプレートから分離し、残留インク、屑及び溶剤を廃棄容器内に移動させる。
【０００４】
しかしながら、これらのメンテナンスステーションは、多くの制限を受ける。１つは、溶剤によってフェースプレートを拭き取るために不揮発性溶剤の供給及びアプリケータを必要とする。アプリケータ及び溶剤は、プリンタに対する費用を追加する。さらに、アプリケータを移動させるためにアクチュエータ及び機械的リンク機構が必要とされる。他の制限は、それぞれが異なる機能を提供する１対のワイパを有する必要性である。それゆえに、一方のワイパは、より高速で摩耗する可能性がある。メンテナンスステーションの修理を簡略化するために、一方のワイパが交換を必要とする場合、双方のワイパが交換される。それゆえに、一方のワイパの寿命の一部が無駄になり、プリンタをメンテナンスする費用が増加する。
【０００５】
他の種類の印刷ヘッドワイピングシステムは、米国特許第８，５９１，００１号明細書に開示されている。このシステムは、同じ印刷ヘッドの異なる部分をクリーニングするように動作される１対のワイパを含む。一方のワイパが持ち上げられて第１の位置において印刷ヘッドのフェースプレートと係合した後に、ワイパが印刷ヘッドの一部を横切って移動されてフェースプレートにおけるノズル開口の一部を拭き取る。そして、ワイパは、フェースプレートとの係合から外れて移動され、他方のワイパは、第２の位置においてフェースプレートと係合するように持ち上げられる。そして、他方のワイパは、印刷ヘッドの他の部分を横切って移動され、フェースプレートにおけるノズル開口の他の部分を拭き取る。そして、このワイパは下降され、印刷ヘッドは通常の印刷動作に戻る。この種の印刷ヘッドワイピングシステムの制限は、ワイパが摩耗したときのワイパ端部の位置を調整する際の困難さ、ワイパ調整部を保持する際の困難さ、及び、ワイピングシステムにおける支持部材にワイパを取り付ける複雑な方法を含む。
【発明の概要】
【発明が解決しようとする課題】
【０００６】
必要とされるものは、溶剤の塗布又はクリーニングシステムにおけるワイパの複雑な取り付けを必要とすることなく、インクジェットプリンタにおける印刷ヘッドの効率的なクリーニングを可能とするメンテナンスステーションである。
【課題を解決するための手段】
【０００７】
溶剤を使用することなくプリンタにおける印刷ヘッドの効率的なクリーニング及びワイパの簡略化された取り付けを可能とする印刷ヘッドワイピングシステムは、フック状端部で終端する本体を有するワイパと、所定距離だけ互いに分離されたワイパ本体から延在する１対のフランジであって、各フランジがフランジ間においてＣ字状開口を形成するように湾曲端部とを有する１対のフランジと、フック状端部とは反対側の端部においてワイパ本体上に配置され且つフランジの一方に隣接する尖端部と、フランジ間においてＣ字状開口内に配置された取付部材であって、その長手方向軸に沿ったワイパ本体の長さよりも長い長手方向軸に沿った長さを有する取付部材と、印刷ヘッドのフェースプレートと係合及び係合解除するようにワイパ本体のフック状端部を移動させるように取付部材に動作可能に接続された機構と、フェースプレートの少なくとも一部を拭き取るように印刷ヘッドのフェースプレートに沿ってワイパ本体のフック状端部を移動させるための並進機構とを含む。
【０００８】
溶剤なしでインクジェットプリンタにおける印刷ヘッドを効率的にクリーニングすることができ且つ簡略化されたワイパ取り付けを可能とする単一のワイパは、フック状端部で終端するワイパ本体と、所定距離だけ互いに分離されたワイパ本体から延在する１対のフランジであって、各フランジがフランジ間においてＣ字状開口を形成するように湾曲端部を有する１対のフランジとを含む。
【０００９】
溶剤なしでプリンタにおける印刷ヘッドを効率的にクリーニングする印刷ヘッドワイピングシステムの前述の態様及び他の特徴は、添付図面に関連して以下の説明において説明される。
【図面の簡単な説明】
【００１０】
【図１】図１は、インクジェットプリンタにおける１つ以上の印刷ヘッドのフェースプレートをクリーニングするように構成されたワイパアセンブリの一端の斜視図である。
【図２Ａ】図２Ａは、ワイパと、取付部材と、補強部材とを有するワイパアセンブリの斜視図である。
【図２Ｂ】図２Ｂは、組み立てられた後の図２Ａに示されるワイパアセンブリの断面図である。
【図３】図３は、ワイパが表面を横切って移動したときに表面と係合したままである図１におけるワイパのフック状端部を示している。
【図４Ａ】図４Ａは、印刷ヘッドフェースプレートを基準としてワイパを下降及び上昇させるように図２Ａのワイパアセンブリに動作可能に接続された回転機構を示している。
【図４Ｂ】図４Ｂは、印刷ヘッドフェースプレートを基準としてワイパを下降及び上昇させるように図２Ａのワイパアセンブリに動作可能に接続された回転機構を示している。
【図４Ｃ】図４Ｃは、印刷ヘッドフェースプレートを基準としてワイパを下降及び上昇させるように図２Ａのワイパアセンブリに動作可能に接続された回転機構を示している。
【図５】図５は、図２Ａに示されたワイパアセンブリの回動部材とフック状端部との間の関係を示している。
【図６】図６は、図４Ａから図４Ｃの回転機構及び図２Ａに示される１対のワイパアセンブリを含む印刷ヘッドワイピングアセンブリの斜視図である。
【図７】図７は、図６の印刷ヘッドワイピングアセンブリにおける並進機構の分解図である。
【発明を実施するための形態】
【００１１】
本実施形態の一般的な理解のために図面が参照される。図面において、同様の参照符号は、同様の要素を示すために全体を通して使用されている。
【００１２】
図１は、単一の印刷ヘッド又は複数の印刷ヘッドの一部をクリーニングすることができるワイパアセンブリ１００を示している。印刷ヘッドは、インクジェットプリンタにおける印刷領域を横切るプロセス方向に延在している。ワイパ構成１００は、ワイパ１０４と、取付部材１０８と、いくつかの実施形態では、補強部材１１２とを含む。ワイパ１０４は、１対のフランジ１１６と、フック状端部１２４で終端するワイパ本体１２０とを有する。この文献において使用される場合、フック状端部は、略Ｊ字状ワイパの湾曲部の終端部を意味する。取付部材１０８は、ワイパ１０４の長手方向軸よりもその長手方向軸に沿って長い一般に矩形部材である。取付部材１０８の各端部には、Ｕ字状スロット１２８がある。
【００１３】
図２Ａは、補強部材１１２を含むワイパアセンブリ１００を示している。補強部材１１２は、ワイパ１０４の長手方向の長さがワイパ１０４の高さよりも約５倍以上である場合に、取付バー１０８及びワイパ１０４の剛性を高めるために取付バー１０８に追加される。ワイパ１０４の高さの約５倍未満の長手方向の長さにおいては、補強部材１１２は必要とされない。補強部材１１２は、取付部材１０８と一体に形成されることができる。あるいは、図２Ａに示されるように、補強部材１１２は、取付部材１０８における取付孔１３６を通過した後に補強部材１１２におけるネジ孔１４０に螺合されるネジ部材１３２を使用して取付バー１０８とは別個に構成されて取り付けられることができる。取付孔１３６は、ネジ部材の頭部が取付部材１０８の表面と同一平面になるのを可能とするように皿頭である。補強部材１１２は、ワイパ１０４の長手方向軸に沿った長さとほぼ同じ長さである。この長さは、以下に説明されるように、アクチュエータ２０４への取付部材１０８の接続のために取付部材１０８のＵ字状スロット１２８に対するアクセスを可能とする。
【００１４】
ワイパ１０４は、アクチュエータが印刷ヘッドのフェースプレート内にワイパを回転させるときに曲げることができる若干可撓性のある材料から構成されている。そのような材料は、ポリエーテルウレタンなどのウレタン、シリコン及び他の同様のポリマー材料を含む。１つの実施形態において、ワイパは、熱可塑性ポリウレタン６０ショアＡなどの熱可塑性ポリウレタンから構成される。材料のデュロメータは、約５０から７０ショアＡの範囲であり、ほとんどの実施形態においては約５５から６５ショアＡの範囲である。この材料は、ワイパが印刷ヘッドのフェースプレートに沿って移動されるときにフック状端部１２４における湾曲部を保持するように十分に弾力性がある。図３に示されるように、この弾性は、ワイパが矢印によって示される方向に移動するのにともないフック状端部１２４が印刷ヘッドのフェースプレートと係合したままであるワイパ１０４の一部のみであるのを可能とする。フック状端部１２４の湾曲部は、ワイパがフック状端部１２４によってフェースプレートから除去される液滴２８０を捕捉してワイパ１０４の本体１２０の面に沿って流体をワイパ１０４上の尖端部１５０に導くのを可能とする（図２Ｂ）。尖端部１５０は、ワイパ１０４の本体１２０からの収集された流体を尖端部１５０に近接して配置された廃棄容器内に導く。
【００１５】
図２Ｂに示されるワイピングブレードの断面は、ワイパの全長に沿って同じである。ワイパの設計は、取付部材１０８の周囲へのワイパの位置決め及び固定を可能とするとともに印刷ヘッドフェースプレートの確実なクリーニングの提供を可能とするという特徴を一体化する。したがって、ワイパ１０４を製造するために押出製造プロセスが使用されることができる。ワイパ１０４の押出は、数ミリメートルから１メートル以上の長さを有するワイパを提供するために異なる長さのワイピングブレードが単一の押出物から切断されることができることから、製造コストを大幅に低減し、非常に多用途である。ワイパの押出は、ポリマーシートからのワイパの切断又は金属支持部上のワイパの成形若しくはオーバーモールドを含む公知のワイパ製造方法よりもはるかに簡便である。
【００１６】
取付部材１０８にワイパ１０４を取り付けるために、フランジ１１６は、Ｃ字状開口を形成するように構成されている。この開口は、ワイパ１０４の端部が一貫した位置に配置されるのを可能とするようにフランジ１１６の間において開口内に取付部材１０８を嵌合させるように操作される。取付部材１０８の周囲に取り付けられたワイパ１０４の断面図が図２Ｂに示されている。フランジ１１６の非取付端部は、ワイパ１０４を取付部材１０８の周囲に固定するのに役立つように取付部材１０８の上部及び底部の周囲に湾曲している。ワイパは、フランジ１１６が取付部材１０８を受けるように膨張されるのを可能とするために十分な可撓性があり、取付部材１０８がフランジ１１６の間の空間に受けられると、それらは元の位置に戻り、取付部材１０８の周囲にワイパ１０４を固定する。このようなフランジの構成は、ハードウェアの設置、取付部材への孔の機械加工、又はワイパを取付バーに保持するために締結具を操作するための特別な工具を必要とすることなく、ワイパが取付部材１０８に取り付けられるのを可能とする。
【００１７】
ワイパ回転機構４００が図４Ａに示されている。その図に示されるように、取付ロック２０８は、取付ロック２０８をブラケット２００に固定するようにブラケット２００におけるネジ開口と嵌合するネジ部材２１２Ｂを受ける２つの下側開口を有する。取付ロック２０８における上側開口は、取付スロット１２８（図１）を通過してブラケット２００におけるネジ孔に通されるネジ部材２１２Ａを受ける。取付部材１０８は、取付ロック２０８とブラケット２００との間に介在され、ネジ部材２１２Ａは、取付部材１０８をブラケット２００に固定する。
【００１８】
回転機構４００の断面図が図４Ｂに示されている。ハウジング２２４は、アクチュエータ２０４を覆うアクチュエータハウジング２１６に当接する。アクチュエータ２０４の駆動部２２０は、ピン２３０によってブラケット２００に固定された部材２２８における開口と嵌合する延長部２２２を有する。ブラケット２００は、アクチュエータハウジング２２４における開口２３４（図４Ａ）と並ぶ回動開口２３２を含み、そのため、回動部材２３６は、ブラケット２００がハウジング２２４に対して回動部材２３６まわりに回転するのを可能とするように、並んだ開口に挿入される。この構成は、ブラケット２００を時計回り方向に回転させてワイパ端部１２４を図４Ｃに示されるその頂部位置から離れるように回動させるように延長部２２２及びブラケット２００を押圧する駆動部２２０をアクチュエータ２０４が回転させるのを可能とする。アクチュエータ２０４は、ブラケット２００を反時計回り方向に回転させてワイパ端部１２４をその底部又はベース位置から図４Ｃに示されるそのトップ位置に回動させるように延長部２２２及びブラケット２００を後退させるように駆動部２２０を反転させる。図４Ｃに示されるように、ブラケット２００の回転は、７．２ｍｍの垂直距離及び１９．５度の円弧を通ってワイパ端部１２４を移動させるが、他の寸法及び幾何学的形状が使用されることもできる。カバー２４０は、ハウジング２２４、ブラケット２００及び取付バー１０８の端部を覆う（図４Ａ）。アクチュエータ２０４は、以下に記載されるように印刷ヘッドワイピングアセンブリ６００における回転機構４００におけるアクチュエータ２０４を動作させてプリンタ内の印刷ヘッドをクリーニングするコントローラ２８４に動作可能に接続される。この文書において使用される場合、「機構」とは、いくつかの機能を実行するように構成された１つ以上の要素を意味する。機構は、機能を実行するために協働して組み立てられた２つ以上の機構を含むことができる。
【００１９】
図５に示されるように、ブラケット２００及びロック２０８によってブラケットに固定された取付部材１０８は、図５における湾曲した両矢印Ｒによって示されるように、フェースプレート１６２に向かうように又はフェースプレート１６２から離れるようにワイパ１０４を回転させるように回動部材２３６まわりに回転する。フック状端部１２４の端縁から回動部材２３６の中心まで延在する距離ＥＤは、フック状端部１２４の内部曲率の半径Ｒの約１０倍である。この距離は、フック状端部１２４の先端のみが端部１２４の先端を平坦にすることなくフェースプレート１６２と係合したままであるようにワイパ本体１２０が十分に曲がるのを可能とする。補強部材１１２は、上述したようにワイパの長さがワイパの高さよりも約５倍以上大きい場合にフランジ１１６の間の凹部内の取付部材１０８の安定性を維持するのに役立つ。それゆえに、以下においてより詳細に説明されるように、フェースプレートを拭き取るためにアクチュエータ２０４がワイパ１０４をフェースプレート１６２内に回転させるとき又はワイパがフェースプレート１６２に沿って移動されるとき、部材１０８及びワイパ１０４は歪まない。図５はまた、取付バー１０８及びワイパ１０４の垂直位置を調整するために双方向に回転するネジ部材２４４を示している。部材２４４が回転するのにともない、それは、ワイパ端部１２４の垂直位置を変えるように支持部２４８を基準にしてアクチュエータハウジング２２４を垂直に移動させる。
【００２０】
図３に示される液滴２８０は、アクチュエータ２０４がワイパ１０４を回転させてフェースプレート１６２と係合する前に印刷ヘッド又は複数の印刷ヘッドからパージされたインク滴である。パージは、典型的には、印刷ヘッドのインクジェットを介して且つフェースプレートにおけるノズル開口を通って外部にインクを付勢するように印刷ヘッド内のインク容器に油圧を加えることによって達成される。このパージされたインクは、残留インクを液化させてフェースプレート上の屑についてのキャリアを提供するためにフェースプレート上の溶剤のように作用する。上述したようなワイパの構成は、ワイパのフック状端部がパージされたインク、残留インク及び屑を収集してそれらを尖端部１５０に導くのを可能とし、そのため、それらが印刷ヘッドから除去されることができる。
【００２１】
印刷ヘッドワイピングアセンブリ６００が図６に示されている。アセンブリ６００は、各端部に回転機構４００を有する２つのワイパアセンブリ１００Ａ、１００Ｂを含む。上述したようにワイパアセンブリ１００Ｂに動作可能に接続された回転機構４００は、ワイパアセンブリ１００Ｂを回転させ、そのため、ワイパアセンブリ１００Ｂの時計回りの回転は、ワイパ端部１２４を下降させ、反時計回りの回転は、ワイパ端部１２４を上昇させる。上述したようにワイパアセンブリ１００Ａに動作可能に接続された回転機構４００は、ワイパアセンブリ１００Ａを回転させ、そのため、ワイパアセンブリ１００Ｂの時計回りの回転は、ワイパ端部１２４を下降させ、反時計回りの回転は、ワイパ端部１２４を上昇させる。係合したワイパ端部１２４を印刷ヘッドのフェースプレートに沿ってプロセス方向に移動させるために、回転機構４００は、機構の各端部にラック６１２を含む。ラック６１２は、ネジ部材６２４によってブラケット６２０内に取り付けられるものとして図４Ａに詳細に示されている。ブラケット６２０は、ブラケット６２０の一部として形成されたフランジ６３２を通過するネジ部材６２８によって回転機構４００に取り付けられ、機構４００のネジ孔に係合する。
【００２２】
図６を参照すると、アセンブリ６００はまた、ワイパアセンブリ１００Ａ及び１００Ｂの各端部にアクチュエータ６０８を含むが、１つのアクチュエータ６０８のみが図６に示されている。ワイパアセンブリ１００Ａ及び１００Ｂを並進させるアクチュエータ６０８が図７にさらに詳細に示されている。アクチュエータ６０８は、コントローラ２８４に動作可能に接続されており、そのため、コントローラは、印刷ヘッドのフェースプレートに沿ってワイパ端部１２４を並進させるようにアクチュエータを動作させることができる。トランスミッション要素６５２は、アクチュエータ６０８の駆動部６４６をギア６５６に接続する。ギア６５６は、ラックシールド６１６が取り付けられた半円筒カバー６６０内に保護されている。フレーム支持部６４４は、フレーム６４０が水平であるのを確実にするのに役立つようにフレーム６４０に対して締結具６４８によって取り付けられる。ガイド６１８は、締結具６６８によって支持部材６７４及びフレーム６４０に固定される。印刷ヘッドワイピングアセンブリ６００の他端における他のアクチュエータ及びフレームの同様のアセンブリもまた提供される。組み立てられると、ワイパアセンブリ１００Ｂの各端部は位置決めされ、ブラケット６２０は、各端部においてガイド６１８に沿って摺動し、ガイドは、半円筒カバー６６０内でギア６５６と係合したままであるように各端部において回転機構４００におけるラック６１２を付勢する。アクチュエータ６０８による駆動部６４６の双方向回転は、ラック６１２及びラック６１２に接続されたワイパアセンブリ１００Ｂを直線経路において並進させる。ワイパアセンブリ１００Ａの端部も同様に構成されている。
【００２３】
印刷ヘッドワイピングアセンブリ６００が組み立てられてプリンタ内に設置されると、コントローラ２８４は、印刷ヘッドワイピングアセンブリ内のアクチュエータ６０８及びワイパアセンブリ１００Ａ及び１００Ｂの各端部の回転機構４００におけるアクチュエータ２０４に動作可能に接続される。コントローラ２８４は、コントローラに動作可能に接続されたメモリに記憶されたプリンタに対して遠隔送信されるプログラミング命令又は命令によって構成されている。コントローラ２８４は、図４Ｃに示されるように底部位置までワイパ端部１２４を回転させるようにワイパアセンブリ１００Ａ及び１００Ｂの回転機構４００におけるアクチュエータ２０４を動作させるようにプログラミング命令を実行する。アセンブリが１つ以上の印刷ヘッドに対向して配置されるとき、コントローラ２８４は、回転機構４００の双方の各端部においてアクチュエータ２０４を動作させ、印刷ヘッドのフェースプレートに近接しているが接触していない第１の位置までワイパ端部１２４を回転させる。例えば、ワイパ端部は、フェースプレートから約１ｍｍに配置されることができる。そして、コントローラ２８４は、アクチュエータ６０８を動作させ、ギア６５６を回転させて各ワイパアセンブリの一端においてラック６１２を並進させる。この移動は、ワイパ端部１２４がフェースプレートを横切って並進されるときに、フェースプレートからパージされたインク滴を移動させるように印刷ヘッドを横切ってフェースプレートに近接してワイパ端部１２４を移動させる。ワイパアセンブリがそれらの並進経路の端部に到達すると、コントローラ２８４は、アクチュエータ６０８を動作させ、ワイパ端部の並進を開始した位置までワイパ端部１２４を戻す。そこで、コントローラ２８４は、フェースプレートに近接するワイパ端部１２４を含むアセンブリにおいてアクチュエータ２０４を動作させ、そのため、ワイパ端部１２４がフェースプレートに係合する。そして、コントローラ２８４は、アクチュエータ６０８を再度動作させ、ワイパ端部がこの移動中にフェースプレートと係合するのにともない、フェースプレートを横切ってワイパ端部１２４を並進させてフェースプレートのクリーニングを完了する。そして、コントローラは、回転機構４００におけるアクチュエータ２０４を動作させ、図４Ｃに示されるベース位置まで係合されたワイパアセンブリのワイパ端部１２４を下降させる。
【００２４】
上述した印刷ヘッドワイピングアセンブリは、従来公知の印刷ヘッドワイピングシステムの多くの利点を提示する。１つは、溶剤又は溶剤アプリケータは必要とされない。この要因は、拭き取りアセンブリを簡略化し、溶剤に関して２つの異なる機能を実行するために２つのワイパを必要としない。上述したワイパは、特別な工具又は締結具を必要とすることなく取付部材に設置されることができる。さらに、ワイパの垂直位置は、ネジ部材を回すことによって容易に調整されることができ、その後、調整は安定したままである。
【図１】
2018020559.tif 000003
【図２Ａ】
2018020559.tif 000004
【図２Ｂ】
2018020559.tif 000005
【図３】
2018020559.tif 000006
【図４Ａ】
2018020559.tif 000007
【図４Ｂ】
2018020559.tif 000008
【図４Ｃ】
2018020559.tif 000009
【図５】
2018020559.tif 000010
【図６】
2018020559.tif 000011
【図７】
2018020559.tif 000012